(57)【要約】【課題】  感光性記録媒体が感光するのを効果的に防止できるカートリッジを提供する。【解決手段】  遮光板１２とカートリッジ本体１１の遮光板対向面との距離がシャッタ１３の開き位置側から閉じ位置側に向かって徐々に狭まる形状であり、シャッタ１３の遮光板対向面とカートリッジ本体対向面とのなす形状が、閉じ位置における遮光板１２とカートリッジ本体１１外面とのなす角度及び形状と同じで、シャッタ１３が閉じ位置にあるとき、シャッタ１３が遮光板１２とカートリッジ本体１１とにそれぞれ密着状態で当接して外部・内部の開口を閉鎖し隙間なく遮光する感光性記録媒体用カートリッジ。【選択図】図１
2007087474.tif 000002
【特許請求の範囲】
【請求項１】
ディスク状の感光性記録媒体を回転自在に収容して前記感光性記録媒体を外部に露呈させる内部開口を少なくとも１つ有するカートリッジ本体と、前記内部開口を塞いで遮光する閉じ位置と前記開口を開放する開き位置との間で前記カートリッジ本体外面をスライド移動可能であるシャッタと、前記シャッタの外側且つ前記内部開口と対向位置に外部開口を有して開口以外の前記シャッタの移動範囲を覆って遮光する遮光板と、を備える感光性記録媒体用カートリッジであって、
前記遮光板と前記カートリッジ本体の遮光板対向面との距離が前記シャッタ開き位置側から閉じ位置側に向かって徐々に狭まる形状であり、前記シャッタの遮光板対向面とカートリッジ本体対向面とのなす形状が、前記閉じ位置において、前記遮光板と前記カートリッジ本体外面とのなす角度及び形状と同じであり、
前記シャッタが前記閉じ位置にあるとき、前記シャッタが前記遮光板と前記カートリッジ本体とにそれぞれ密着状態で当接して前記外部開口、内部開口を閉鎖する感光性記録媒体用カートリッジ。
【請求項２】
前記遮光板は、前記カートリッジ本体外面に設けた凹所内で該外面以内に設置されていることを特徴とする請求項１に記載の感光性記録媒体用カートリッジ。
【請求項３】
前記カートリッジ本体は、前記感光性記録媒体に対する内面と、前記シャッタに対する外面とに、表面粗さRa：５〜２０μｍのマット加工、またはシボ加工が施されていることを特徴とする請求項１又は２いずれかに記載の感光性記録媒体用カートリッジ。
【請求項４】
前記カートリッジ本体は、略板形状の第１シェルと、この第１シェルに重ね合わされて溶着される第２シェルからなり、前記第１シェル及び第２シェルは、同一または類似の熱可塑性プラスチックで形成され、かつシャッタを含むその他の部品は、該第１シェル及び第２シェルと異なる材質で形成されていることを特徴とする請求項１から３のいずれか１つに記載の感光性記録媒体用カートリッジ。
【請求項５】
前記第１シェル及び第２シェルと、シャッタは、その成形に用いられるプラスチックに遮光性物質が０．０１〜５．００重量％添加されていることを特徴とする請求項１から４のいずれか１つに記載の感光性記録媒体用カートリッジ。
【請求項６】
前記第１シェル及び第２シェルと、シャッタは、その成形に用いられるプラスチックにカーボンブラックが０．０１〜２．００重量％添加されていることを特徴とする請求項１から５のいずれか１つに記載の感光性記録媒体用カートリッジ。
【請求項７】
前記第１シェル及び第２シェルと、シャッタは、その成形に用いられるプラスチックにシリコーン系滑剤が０．１〜５．０重量％添加されていることを特徴とする請求項１から６のいずれか１つに記載の感光性記録媒体用カートリッジ。
【請求項８】
前記感光性記録媒体は、ホログラム記録媒体であることを特徴とする請求項１から７のいずれか１つに記載の感光性記録媒体用カートリッジ。
【発明の詳細な説明】
【技術分野】
【０００１】
本発明は、感光性記録媒体を収容するカートリッジに係り、特に内部に収容する感光性記録媒体に対する遮光性能を高めることができるカートリッジに関する。
【背景技術】
【０００２】
近時、ホログラムによってデータを記録するホログラム記録媒体が提案されている（例えば、特許文献１参照）。このホログラム記録媒体は、円板形状の支持体上に感光性材料からなるホログラム記録層が積層された感光性の記録媒体であって、レーザ光などのコヒーレント光による干渉縞としてデータ記録を行うものである。このホログラム記録媒体は、多層の記録層において大量のデータを含む干渉縞として記録形成させることにより、従来のＤＶＤよりも大きなデータ記録容量を得ることができる。
【０００３】
このホログラム記録媒体にあっては、ホログラム記録層が不用意に感光しないようにするため、遮光機能を有する薄手の箱状のカートリッジに回転自在に収容した状態で取り扱うようにしたものが知られている（例えば、特許文献２参照）。このカートリッジでは、ホログラム記録媒体を回転自在な状態で両側から挟み込むようにして収容する上側シェル及び下側シェルと、これら上側シェル及び下側シェルからなるカートリッジ本体にホログラム記録媒体の一部を外部に露呈させるように形成する外部開口と、この開口を開閉するシャッタとを備えている。特にカートリッジ本体は、ホログラム記録層の感応色を遮光する材質で形成している。また、ホログラム記録媒体を外部に露呈させる可動部分の合せ目には、スポンジ状の遮光材を貼付している。
【０００４】
また、カートリッジが、カートリッジ本体とシャッタとカバーとから構成されたものも知られている（例えば、特許文献３参照）。このカートリッジは、カートリッジ本体の開口周囲とシャッタ、およびシャッタとカバーの開口周囲との間にそれぞれオーバーラップを設け、これらの二重のオーバーラップにより外部からカートリッジ本体内への光と塵埃の進入を防止している。
【特許文献１】特開２００４―０２９４７６号公報
【特許文献２】特開２００３―３１７４２２号公報
【特許文献３】特開２００３―３１７４２４号公報
【発明の開示】
【発明が解決しようとする課題】
【０００５】
ところで、ホログラム記録媒体を収容するカートリッジは、カートリッジ本体とシャッタとの間の遮光が適切に行なわれないと、光がカ一トリッジ内に進入し、ホログラム記録媒体に悪影響を与えてしまう。
【０００６】
ところが、特許文献２記載のカートリッジのように、カートリッジ本体とシャッタとの間に備えたスポンジ状の遮光材が剥がれ、または劣化した場合に、直ちに適切な遮光が行なえなくなるという問題がある。
【０００７】
特許文献３記載のカートリッジは、カバーが、カートリッジ本体に形成された凹部に収容されて取り付けてあり、シャッタ保護の機能を有する。ところが、このカートリッジにあっては、防塵構造に関しては記載されているものの、遮光構造についてはなんら記載されておらず、感光性記録媒体用カートリッジとしては、必ずしも十分な性能を有していない。
【０００８】
本発明は、上記事情に鑑みてなされたもので、その目的は、カートリッジ本体と遮光板との間を適切に遮光して、感光性記録媒体が感光するのを効果的に防止できるカートリッジを提供することにある。
【課題を解決するための手段】
【０００９】
本発明の上記目的は、以下の構成によって達成される。
ディスク状の感光性記録媒体を回転自在に収容して前記感光性記録媒体を外部に露呈させる内部開口を少なくとも１つ有するカートリッジ本体と、前記内部開口を塞いで遮光する閉じ位置と前記開口を開放する開き位置との間で前記カートリッジ本体外面をスライド移動可能であるシャッタと、前記シャッタの外側且つ前記内部開口と対向位置に外部開口を有して開口以外の前記シャッタの移動範囲を覆って遮光する遮光板と、を備える感光性記録媒体用カートリッジであって、
前記遮光板と前記カートリッジ本体の遮光板対向面との距離が前記シャッタ開き位置側から閉じ位置側に向かって徐々に狭まる形状であり、前記シャッタの遮光板対向面とカートリッジ本体対向面とのなす形状が、前記閉じ位置において、前記遮光板と前記カートリッジ本体外面とのなす角度及び形状と同じであり、
前記シャッタが前記閉じ位置にあるとき、前記シャッタが前記遮光板と前記カートリッジ本体とにそれぞれ密着状態で当接して前記外部開口、内部開口を閉鎖する感光性記録媒体用カートリッジ。
【００１０】
上記カートリッジは、前記遮光板が、前記カートリッジ本体外面に設けた凹所に設置されていることが好ましい。こうすれば、さらに遮光性を向上させることが可能となる。
【００１１】
また、上記カートリッジ本体は、感光性記録媒体に対する内面と、シャッタに対する外面とに、表面粗さRa５：〜２０μｍのマット加工、またはシボ加工が施されていることが好ましい。こうすれば、カートリッジ内部や、カートリッジ本体とシャッタとの間に光が進入した場合でも、粗面によって光を拡散、減衰させることができるため、感光性記録媒体に対する影響を軽減させることができる。
【００１２】
また、上記カートリッジ本体は、板形状の第１シェルと、この第１シェルに重ね合わされて溶着される第２シェルからなり、第１シェル及び第２シェルは、同一または類似の熱可塑性プラスチックで形成され、かつシャッタを含むその他の部品は、第１シェル及び第２シェルと異なる材質で形成されていることが好ましい。これにより、第１シェルと第２シェルとの溶接時に第１シェル及び第２シェルとその他の部品とが溶着してしまうのを防止することができる。
【００１３】
上記カートリッジは、第１シェル及び第２シェルと、シャッタは、その成形に用いられるプラスチックに遮光性物質が０．０１〜５．００重量％添加されていることが好ましい。また、第１シェル及び第２シェルと、シャッタは、その成形に用いられるプラスチックにカーボンブラックを使用する場合は、カーボンブラックが０．０１〜２．００重量％添加されていることが好ましい。こうすれば、カートリッジ本体とシャッタとの光透過率を小さくすることができ、カートリッジの遮光性能を向上させることができる。
【００１４】
また、上記カートリッジは、第１シェル及び第２シェルと、シャッタは、その成形に用いられるプラスチックにシリコーン系滑剤が０．１〜５．０重量％添加されていることが好ましい。こうすれば、シャッタの動作が滑らかになるため、シャッタとカートリッジ本体との間の摩擦により削り屑等が発生するのを防止することができる。
【００１５】
上記カートリッジは、前記感光性記録媒体としてホログラム記録媒体に適用できる。上記構成により、ホログラム記録媒体を感光させることなく、持ち運びができ、設置位置の異なる記録装置で利用可能となる。
【発明の効果】
【００１６】
本発明によれば、カートリッジ本体と遮光板との間を適切に遮光して、ホログラム記録媒体等の感光性記録媒体の遮光及び防塵効果を高くし、感光性記録媒体が感光するのを効果的に防止できるカートリッジを提供できる。
【発明を実施するための最良の形態】
【００１７】
以下、本発明に係るホログラム記録媒体用カートリッジの実施形態について、添付図面に基づいて詳しく説明する。
図１〜図３は、本発明の実施形態であるホログラム記録媒体用カートリッジ（以下、カートリッジとよぶ）１の外観形状を示す斜視図及び分解斜視図である。具体的には、図１は、カートリッジ２のシャッタを閉じた状態を示す斜視図、図２はカートリッジ２のシャッタ１３を開いた状態を示す斜視図、図３はカートリッジ２を構成するカートリッジ本体１１、遮光板１２、シャッタ１４及びディスク収容部３内の円板形状のホログラム記録媒体４を示す分解斜視図である。
【００１８】
本実施形態のカートリッジは、内部にホログラム記録媒体（以下、記録ディスクとよぶ）４を収容するディスク収容部３を設けたカートリッジ本体１１と、このカートリッジ本体１１を外側から挟み付けるようにして取り付ける遮光板１２と、カートリッジ本体１１と遮光板１２との間に組み込むシャッタ１３とを備えている。なお、このカートリッジ２は、図示しないが、記録ディスク４にデータを記録する記録装置や、記録ディスク４からデータを読み出す再生装置に設けたカートリッジスロットに対して装填方向Ｃに沿って挿入する。
【００１９】
カートリッジ２は、ホログラム記録装置等の各種機器に装填された際に、各機器に設けられた位置決め部材を挿入する位置決め溝７を設けており、図示外の記録装置又は再生装置のロック解除機構でロック機構２７を解除するとともに、記録装置又は再生装置のスライド機構（シャッタ１３を閉じ位置と開き位置との間で移動させる）でシャッタ１３が開き位置に移動して後述する配置の開口１４，１５，１８，１９が開放する。
【００２０】
記録ディスク４は、中心部に穴をあけてディスク状に形成したものであり、両面に感光性材料からなるホログラム記録層を設けており、感光性記録媒体を構成している。ホログラム記録層には、例えば、緑色５３２ｎｍ〜青色４０５ｎｍの波長域のレーザ光により、データがレーザ光の干渉縞として多層記録される。なお、記録ディスク４の中心穴部に補強材を付加してもよい。
【００２１】
次に、カートリッジ本体１１、遮光板１２、シャッタ１３について詳細に説明する。
（Ｉ）カートリッジ本体１１について：
まず、図３から分かるように、カートリッジ本体１１は、略板状に形成した第１シェル２５と、第１シェル２５に重ね合せるように接合する略板状の第２シェル２６と、第１シェル２５と第２シェル２６との間に組み込んでシャッタ１３のロックを行なうロック機構２７とを備えており、第１、第２シェル２５，２６貼り合わせた空間には、前述したディスク収容部３となる空間を設けている。ディスク収容部３には、円板形状の記録ディスク４を回転自在に収容している。この記録ディスク４は、カートリッジ本体１１の内部に収容した状態で取り扱う。
なお、第１シェル２５と第２シェル２６は、例えば、遮光性物質と滑剤とを添加した同一または類似の熱可塑性プラスチックを用いて、射出成形により形成している。これらの種類は後述する。
【００２２】
第１シェル２５及び第２シェル２６には、それぞれ、ディスク収容部３に収容した記録ディスク４の回転中心と記録面の一部を外部に露呈させる、内部開口である略舌形状の開口１８，１９が第１シェル２５から第２シェル２６へ貫通する形態で開口配置されている。
また、第１シェル２５及び第２シェル２６の外面には、それぞれ、図１〜図３に示すように、外面よりオフセットされた凹所２５ａ，２６ａを有している。この凹所２５ａ，２６ａ内に、シャッタ１３が配置され、更に、このシャッタ１３を覆って遮光板１２が固定配置される。なお、凹所２５ａ，２６ａのシャッタ１３が配置されるオフセット面はカートリッジ本体１１の外面に対して平行かつフラットな形状を呈している。
【００２３】
（ＩＩ）遮光板１２について：
図４（ａ）は本実施形態の遮光板の形状を示す斜視図である。この図は、本発明を分かりやすくするため、特徴部分を強調した図となっている。
この遮光板１２は、アルミニウム合金の薄板に外部開口１４，１５をそれぞれ有する第１の板部１２ａ及び第２の板部１２ｂと、更に、第１の板部１２ａと第２の板部１２ｂとを連設させる第３の板部１２ｃとにより構成される。そして、断面形状としては、第３の板部１２ｃを中央として断面がコの字形状となるように屈折させた形状である。第３の板部１２ｃの閉じ位置側端部には、カートリッジ本体１１に取り付けられた状態で、後述するシャッタ１３の移動範囲を得るための切欠４０が形成されている。
【００２４】
そして、遮光板１２は、第１の板部１２ａ及び第２の板部１２ｂにより、カートリッジ本体１１の第１シェル２５と第２シェル２６とを挟み込み、かつ、第３の板部１２ｃでカートリッジ本体１１の装填方向Ｃの先端を覆うようにカートリッジ本体１１に取り付けられる。このとき、外部開口１４，１５はそれぞれ、第１シェル２５と第２シェル２６に備えられた内部開口１８，１９に対応する。
【００２５】
ここで、第３の板部１２ｃの寸法として、第１の板部１２ａと第２の板部１２ｂとの間隔は、切欠４０側の端部１２ｒでの間隔ｈ１に対して開き位置側端部１２ｓでの間隔ｈ２を大きくし、且つ、第２の板部１２ｂを基準として第１の板部１２ａ側へ徐々に延ばした寸法で構成され、第２の板部１２ｂに対して第１の板部１２ａが角度θで傾斜している。そして、カートリッジ本体１１において、凹所２５ａのカートリッジ挿入側とは反対縁部分２５ｔでは、遮光板１２の自由端１２ｔ側の傾斜形状に対応して、開き位置側縁部２５ｓから閉じ位置側縁部２５ｒに向け深さを増す構成となり、カートリッジ本体１１の外面に対して角度θの傾斜を持って深さを増す構成となっている。
【００２６】
このような構成によって、遮光板１２がカートリッジ本体１１に取り付けられた状態では、凹所２５ａとの相対位置において、第１の板部１２ａは開き位置側端部１２ｓから閉じ位置側１２ｒに向けて下る形状、つまり、第１の板部１２ａと凹所２５ａ底面との距離が閉じ位置側端部１２ｒに向けて徐々に狭くなる構成となる。ここで、第２の板部１２ｂと凹所２６ａの底面との間隔は一定で、カートリッジ本体１１の外面と略平行となっている。
なお、カートリッジ本体１１は、遮光板１２のどの位置においても、カートリッジ本体１１の外面から突出しない程度の傾斜寸法とすることが最も良い。
【００２７】
ここで、遮光板１２の材質には、遮光性、耐食性、装飾性、加工性を得ることができ、かつ軽量で強度のあるものとして、例えばアルミニウム合金が用いられている。なお、この遮光板１２もプラスチックで形成してもよいが、遮光性と、シャッタ１３に対する滑り性とを確保するためには、遮光性物質と滑剤とが添加されたプラスチックを用いるとよい。また、遮光板１２のカートリッジ本体１１への固着方法としては、双方に一体に挿通させるピンの端部などを溶着させたり、接着剤や両面テープ、ねじ止め等を用いることができる。また、カートリッジ本体１１と同様に、遮光板１２をプラスチックで形成した場合には、各種溶着を用いることもできる。
【００２８】
（ＩＩＩ）シャッタ１３について：
図５は本発明の実施形態のシャッタを示す斜視図である。
シャッタ１３は、遮光性を有する板を略コの字形状となるように屈曲させた形状のシャッタ部材５５と、このシャッタ部材５５に取り付けられるスライド部材５６から構成される。シャッタ部材５５は、例えばプラスチックを射出成型される。この略コの字形状は、板状の第１シャッタ５５ａと、同じく板状の第２シャッタ５５ｂと、これら２つの板を連接してコの字形状の中心となる連設部５５ｃとからなる。
【００２９】
ここで、板状の第１シャッタ５５ａは第１シェル２５の外面と遮光板１２との間である凹所２５ａ内で、遮光板１２が取り付けられる縁部２５ｒ，２５ｓ，２５ｔよりも更に内側にオフセットされた底面であるシャッタ摺動面２５ｂに配置される。同様に、板状の第２シャッタ５５ｂは第２シェル２６の外面と遮光板１２との間である凹所２６ａ内で、遮光板１２が取り付けられる縁部２６ｒ，２６ｓ，２６ｔよりも更に内側にオフセットされた底面であるシャッタ摺動面２６ｂに配置される。従って、遮光板１２の第３の板部１２ｃの内側でカートリッジ本体１１との間に連設部５５ｃが位置される。
【００３０】
そして、シャッタ１３の閉位置において、カートリッジ本体１１の外部開口１４と第１シェル２５の内部開口１８との間に第１シャッタ５５ａが入り、外部開口１５と第２シェル２６の内部開口１９との間に第２シャッタ５５ｂが入り込んで開口を塞ぎ、遮光状態を維持する。
ここで、内蔵するシャッタバネ５９によって閉位置に向けて弾性力が常時付勢されている。従って、この第１、第２シャッタ５５ａ，５５ｂは、普段は閉じ位置にあり、しかもカートリッジ本体１１のロック機構２７によって閉じ位置でロックされている。
【００３１】
連設部５５ｃ及び第１シャッタ５５ａの形状は、それぞれ、遮光板１２の第３の板部１２ｃ及び第１の板部１２ａの構成に対応している。つまり、連設部５５ｃは閉位置側端部５５ｒでのシャッタ面に垂直方向の寸法を遮光板１２の端部１２ｒでの間隔ｈ１と同等とし、開位置側端部５５ｓでのシャッタ面に垂直方向の寸法を遮光板１２の端部１２ｒでの間隔ｈ２と同等とする。このような構成により、第１シャッタ５５ａの表面５５ｘは第２シャッタ５５ｂに対して角度θで傾斜する。そして、第１シャッタ５５ａの裏面５５ｙと第２シャッタ５５ｂを略平行とすることで、第１シャッタ５５ａの表面５５ｘが裏面５５ｙに対して角度θで傾斜する構成である。つまり、第１シャッタ５５ａの裏面５５ｙは凹所２５ａ底面であるシャッタ摺動面２５ｂと略平行で、第１シャッタ５５ａの閉位置側端部５５ｒが開位置側端部５５ｓより薄い寸法とすることで、角度θの傾斜面を形成している。
【００３２】
ここで、シャッタ１３は、上記のように、厚みが位置により異なる第１シャッタ５５ａを提供するためにもプラスチックで形成するのが適当であり、遮光性と遮光板１２に対する滑り性とを確保するために、遮光性物質と滑剤とが添加されたプラスチックを用いるとよい。なお、この材料としては、アルミニウム合金で形成することも可能である。
【００３３】
ここで、板部１２ｃにはスライド部材５６が取付けられ、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられ、ピンやねじ止め、接着剤などによりシャッタ部材５５に一体に取り付けられる。
【００３４】
このスライド部材５６の他方の上面端部には、シャッタ１３を開く際に操作される被操作部５６ｄが一体に形成されている。この被操作部５６ｄは、シャッタ部材５５に対し、スライド部材５６をシャッタの閉じ方向に伸ばして設け、遮光板１２の第３の板部１２ｃに隠れることなく、外部に露出されている。また、図２に示すように、遮光板１２の切欠４０は、シャッタ１３が開位置に移動した際に、被操作部５６ｄとの干渉を避けるために設けられている。
【００３５】
前述のようにシャッタ１３はシャッタバネ５９により閉じ方向に付勢されているが、このシャッタバネ５９はねじりコイルなどで形成され、その両端はスライド部材５６の開位置側端部と第１シェル２５の内面とに係止される。
【００３６】
ロック機構２７は、スライド部材５６の被ロック溝５６ｅに係合してシャッタ１３を閉じ位置で保持する第一のロック部材６３と、この第１のロック部材６３の移動を規制する第２のロック部材６４と、第２のロック部材６４を施錠方向へ付勢しているロックバネ６５とから構成されている。
【００３７】
図６は図示外の記録装置又は再生装置のカートリッジ受容部分とカートリッジの斜視図である。次ぎは、この図６を使用し、カートリッジ２を装填する場合の動作について説明する。
この記録装置又は再生装置には、例えば、一対の位置決め部材７７ａ，７７ｂと、第１のロック部材６３を操作するロック解除機構７８と、シャッタ１３を開き位置と閉じ位置との間でスライドさせるシャッタスライド機構８０とが組み込まれている。このうち、位置決め部材７７ａ，７７は、装填されたカートリッジ本体１１の位置決め溝７，８に係合して、カートリッジ２の挿入方向Ｄ及びこの挿入方向Ｄに直交する開閉方向Ｃでカートリッジ本体１１を位置決めする。
【００３８】
従って、カートリッジ本体１１を上記ホログラム記録装置又は再生装置に装填すると、位置決め部材７７ａが位置決め溝７に挿入される。また、記録装置又は再生装置内に設けたロック解除機構７８の係合ピン７９ａが第１のロック部材６３の操作穴７２に挿入され、シャッタスライド機構８０の操作片８０ａがスライド部材５６の外側に配置された状態となる。位置決め部材７７ａは、更に、第２のロック部材６４をロックバネ６５の付勢に抗して押庄する。これにより、第２のロック部材６４は、所定方向に回動して、第１のロック部材６３のロック状態が解除される。
【００３９】
次に、ロック解除機構７８は、係合ピン７９ａをカートリッジ挿入方向Ｃとは反対の解除方向にスライドさせて、スライド部材５６との係合を解除する。その後、スライド機構８０が操作片８１を図中左方の開き方向Ｄに向けてスライドさせることで、シャッタ１３が開放する。このように、ロック機構２７は、第２のロック部材６４を回動させ、更に第１のロック部材６３をスライドさせなければ解除しないため、シャッタ１３が不用意に開放するのを効果的に防止できる。
【００４０】
図７（ａ）は本実施形態のカートリッジのシャッタ閉じ位置の断面図、図７（ｂ）は本実施形態のカートリッジのシャッタ開き位置の断面図である。次には、図７を参照しながら、本実施形態に係るカートリッジ２の特にシャッタ１３の動作について説明する。
図７（ａ）に示すようにシャッタ１３が閉じ位置で開口が閉鎖した状態のときに、カートリッジ１を図示外の記録装置又は再生装置に装填する。すると、図６で述べたように、ロック解除機構７８及びシャッタスライド機構８０により、シャッタ１３が図７（ｂ）に示す開き位置まで移動する。これにより、遮光板１２の外部開口１４，１５及びカートリッジ本体１１の内部開口１８，１９が開口して、記録ディスク４のホログラム記録層が露出する。
【００４１】
カートリッジ２を取り出す際には、ロック解除機構７８及びシャッタスライド機構８０により、シャッタ１３が、図７（ｂ）に示す開き位置から図７（ａ）に示す閉じ位置に向けて移動される。このとき、第１シャッタ５５ａは、シャッタバネ５９の弾性力で閉じ側に付勢され、遮光板１２の裏面と第１シェル２５のシャッタ摺動面２５ｂとの間で、最も間隔が狭くされた位置である閉じ位置に到達する。この時、シャッタ１３の表面５５ｘは遮光板１２の裏面と接触し、シャッタ１３の裏面５５ｙはシャッタ摺動面２５ｂと接触する。遮光板１２の裏面と第１シェル２５のシャッタ摺動面２５ｂとの間隔設定を最適化することによって、この接触状態に対して若干の押圧を伴わせることもできる。このような設定により、閉じ位置において、遮光板１２とシャッタ１３とシャッタ摺動面２５ｂとを密着させ、遮光及び防塵状態を強固にする事ができる。
【００４２】
遮光板１２の裏面と第１シェル２５のシャッタ摺動面２５ｂとの間隔の最適化については、遮光板１２の取付部である凹所２５ａの縁部２５ｒ，２５ｓ，２５ｔとシャッタ摺動面２５ｂとの高さと、シャッタ１３の閉位置側端部５５ｒとを略同じにすることと、遮光板１２の裏面と第１シェル２５のシャッタ摺動面２５ｂとのなす角θとこの閉位置側端部５５ｒの楔形状角度を略同一とすることで達成される。
【００４３】
なお、シャッタ１３は、前述したように、普段使用しないときなどには、第１、第２のロック部材６３，６４による２段階の操作を行なわなければ解除されないロック機構２７によって閉じ位置でロックされており、不用意に開放されることはない。
【００４４】
また、図６において、シャッタ４の摺動面である第１、第２シャッタ５５ａ，５５ｂの内外面は、入射した光を拡散させることにより、カートリッジ本体１１の内部に進入するのを回避するために、粗面にするのが好適である。更に、同様に遮光板１２の残りの外面及びスライド部材５６の各外面も粗面にするのが好適である。
【００４５】
図４（ｂ）は本発明の感光性記録媒体カートリッジの他の実施形態に使用される遮光板を示す斜視図である。図４（ａ）では、遮光板１２の閉じ側である切欠４０側寸法を開き側より小さくすることで、第一の板部１２ａに傾斜を付けたが、図４（ｂ）に示した遮光板１１２では、第１の板部１１２ａ及び第２の板部１１２ｂと、更に、第１の板部１１２ａと第２の板部１１２ｂとを連設させる第３の板部１１２ｃとにより構成される。そして、断面形状としては、第３の板部１１２ｃを中央として断面がコの字形状となるように屈折させた形状とする。第３の板部１１２ｃの閉じ位置側端部には、カートリッジ本体１１に取り付けられた状態で、後述するシャッタ１３の移動範囲を得るための切欠１４０が形成されている。そして、第１の板部１１２ａに対して、自由端部１１２ｔと閉じ側端部１１２ｒとでできる角１１２ｋに向けて下り傾斜を形成する。
【００４６】
この場合、遮光板１１２に特別の寸法・構成を与える必要はなく、遮光板１１２が取り付けられる不図示のカートリッジ本体の凹所縁部を形成することで達成できる。つまり、角１１２ｋに向けて下り傾斜を形成するように、自由端部１１２ｔと閉じ側端部１１２ｒが対応する凹所縁部に対し、角１１２ｋが対応する位置が最も深くなるように傾斜を付けて作成する。図示していないが、シャッタについても、この第１の板部１１２ａに対応する傾斜を与えて、最終的には、図４（ａ）に示した遮光板１２と同様に楔形状の押さえ効果を示すことができる。
【００４７】
上記各実施形態では、カートリッジ本体の凹所内でシャッタ摺動面はカートリッジ本体外面と平行を保ち、遮光板の傾斜により楔形状を形成して、遮光及び防塵効果を高めている。これに対して、遮光板をカートリッジ本体外面と平行とし、カートリッジ本体の凹所内でシャッタ摺動面に傾斜を付ける構成とすることも可能である。
また、上記各実施形態では、カートリッジの片面のみに対して楔形状を組み合わせ、押さえ効果を奏していたが、両面に適用することも可能である。
【００４８】
以上のように、本実施形態によれば、このようにシャッタ１３を閉じ位置までスライド動作させるだけで、シャッタバネ５９の作用により、遮光板とシャッタとカートリッジ本体の凹所内でシャッタ摺動面との密着度を上げることができ、その閉鎖状態が保持される。その結果、カートリッジ本体１１の記録ディスク４が収容された収容部を確実に遮光及び防塵することができる。このため、記録装置又は再生装置などからカートリッジを取り出す場合には、内部に収容する記録ディスク４のホログラム記録層が曝光されることがなく、確実に、かつ、スムースな取り出し動作を行うことができる。
【００４９】
なお、本発明は、前述した実施形態に限定されるものではなく、適宜な変形、改良などが可能である。
また、ホログラム記録媒体を収容するカートリッジを例に説明したが、その他の感光性を有する記録媒体を収容するカ一トリッジにも本発明を適用することができる。
【００５０】
本発明のカートリッジは、カートリッジ本体と遮光板との間を適切に遮光して、感光性記録媒体を感光させることなくかつ清浄な状態で保持することができる効果を有し、ホログラムによってデータを記録するホログラム記録媒体などの感光性記録媒体を収容する感光性記録媒体用のカートリッジ等に有用である。
【実施例】
【００５１】
次に、本発明の実施例について説明する。
上側シェル及び下側シェルの成形に用いる熱可塑性プラスチックには、PBT、ＡＢＳ、ＰＯＭ、ＰＳ、ＰＰ、ＨＤＰＥ、ＰＡ、ＰＥＴ、ＰＰＳ、ＳＡＮ（スチレン−アクリルロニトル共重合）、ＰＭＭＡ、ＰＣ等を用いることができる。また、超音波溶着による誤溶着防止のために、上側シェル及び下側シェル以外の部品については、上記熱可塑性プラスチックの中から、上側シェル及び下側シェルに使用したものと異なるものを選択するとよい。
【００５２】
上側シェル及び下側シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが挙げられる。
【００５３】
（１）無機化合物
Ａ．酸化物・・・シリカ、ケイ藻土、アルミナ、酸化チタン、酸化鉄（鉄黒）、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミニウム、水酸化マグネシウム、塩基性炭酸マグネシウム等
Ｃ．炭酸塩・・・炭酸カルシウム、炭酸マグネシウム、ドロマイト、ドーソナイト等
Ｄ．（亜）硫酸塩、・・・硫酸カルシウム、硫酸バリウム、硫酸アンモニウム、亜硫酸カルシウム等
Ｅ．ケイ酸塩・・・タルク、クレー、マイカ、アスベスト、ガラス繊維、ガラスバルーン、ガラスビーズ、ケイ酸カルシウム、モンモリロナイト、ベントナイト等
Ｆ．炭素・・カーボンブラック、グラファイト、炭素繊維、炭素中空球等
Ｇ．その他・・・鉄粉、銅粉、鉛粉、アルミニウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
（２）有機化合物
木粉（松、樫、ノコギリクズなど）、穀繊維（アーモンド、ピーナッツ、モミ殻など）、木綿、ジュート、紙細片、非木材繊維（ワラ、ケナフ、竹、エスパルト、パガス、モロヘイヤ、煙火など）、セロハン片、ナイロン繊維、ポリプロピレン繊維、デンプン（変性デンプン、表面処理デンプンも含む）、芳香族ポリアミド繊維等
【００５４】
これらの遮光性物質に中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００５５】
遮光性物質としてカーボンブラックを使用する場合には、その添加量を０．０１〜２．００重量％とするのが好ましい。上述したように、遮光性及び物理強度のバランスがよいプラスチックを得るためである。
【００５６】
カーボンブラックの原料による分類例をあげるとガスブラック、ファーネスプラック、チャンネルブラック、アントランセンブラック、アセチレンブラック、ケッチェンカーボンプラック、サーマルブラック、ランプブラック、油煙、松煙、アニマルプラック、ベジタブルブラック等がある。
【００５７】
好ましいカーボンブラッグの市販品の代表例としては、例えば三菱化成製のカーボンブラック＃２０（Ｂ）、＃３０（Ｂ）、＃３３（Ｂ）、＃４０（Ｂ）、＃４１（Ｂ）、＃４４（Ｂ）、＃４５（Ｂ）、＃５０、＃５５、＃１００、＃６００、＃９５０、＃１０００、＃２０００（Ｂ）、＃２４００（Ｂ）、ＭＡ８、ＭＡ１００等が挙げられる。また、電気化学製のデンカブラック、東海カーボンのシースト、旭カーボンの旭＃７８、昭和キャボネットのショウワブラック、新日鉄化学のニテロン、三菱化学のダイヤモンドブラック等の各種グレードのものも用いることができる。
【００５８】
海外の製品としては、例えばキャボネット社のＢｌａｃｋ  Ｐｅａｒｌｓ  ２、４６、７０、７１、７４、８０、８１、６０７等、Ｒｅｇａｌ１３００、３３０，４００，６６０、９９１、ＳＲＦ−Ｓ等、Ｖｕｌｃａｎ  ３、６等、Ｓｔｅａｒｌｉｎｇ１０、ＳＯ、Ｖ、Ｓ、ＦＴ−ＦＦ、ＭＴ−ＦＦ等が挙げられる。
【００５９】
さらにアシュランドケミカル社のＵｎｉｔｅｄ  Ｒ、ＢＢ，１５，１０２，３００１，３００４，３００６，３００７，３００８、３００９，３０１１，３０１２、ＸＣ−３０１６、ＸＣ−３０１７、３０２０等が挙げることができるが、本発明は、これらに限定されるものではない。
【００６０】
また、上側シェル及び下側シェルと、シャッタとに添加する滑剤としては、シリコーン系滑剤、特に各種グレードのジメチルポリロキサンを使用することができ、東レ、ダウコーニング、シリコーン、ＧＥ東芝シリコーン、旭化成ワッカーシリコーン、信越化学等から市販されている各種グレードのものを使用することができる。なお、マスターバッチ、練りこみ品のどちらでも使用可能である。なお、シリコーン系滑剤の添加量としては、０．１〜５．０重量％が好ましい。上述したように、摩擦抵抗と、製品品質、製造適正のバランスのよいプラスチックを得るためである。
【００６１】
また、シェルに設ける粗面としては、表面粗さＲａ：５μｍ以下だと光拡散効果が薄く、２０μｍ以上だと記録ディスクとの接触面に傷を発生させるおそれがある。そのため、表面粗さＲａ：５〜２０μｍのマット加工、またはシボ加工が好ましい。
【００６２】
また、上側シェルと下側シェルとの固着に超音波溶着を用いたが、その他の溶着方法及び固着方法を用いてもよい。例えば、ネジなどで固着する場合には、ネジ穴の周囲にも遮光構造を形成するのが好ましい。
【図面の簡単な説明】
【００６３】
【図１】本発明の実施形態であるカートリッジの外観形状を示す斜視図である。
【図２】本発明の実施形態であるカートリッジのシャッタ開放状態を示す外観斜視図である。
【図３】本発明の実施形態であるカートリッジの構成を示す分解斜視図である。
【図４】（ａ）は本実施形態の遮光板の形状を示す斜視図である。（ｂ）は本発明のカートリッジの他の実施形態に使用される遮光板を示す斜視図である。
【図５】本発明の実施形態のシャッタを示す斜視図である。
【図６】カートリッジのシャッタを開放するための各種機構の一例を示す説明図である。
【図７】カートリッジの装填方向に直交する方向の断面図であって、（ａ）はシャッタが閉じた状態、（ｂ）はシャッタが開いた状態を示すものである。
【符号の説明】
【００６４】
２  カートリッジ
３  ディスク収容部
４  記録ディスク
７，８  位置決め溝
１１  カートリッジ本体
１２  遮光板
１３  シャッタ
１４，１５  外部開口
１８，１９  内部開口
２７  ロック機構
５５  シャッタ部材
５６  スライド部材
Ｃ  挿入方向
Ｄ  開閉方向
【図１】
2007087474.tif 000003
【図２】
2007087474.tif 000004
【図３】
2007087474.tif 000005
【図４】
2007087474.tif 000006
【図５】
2007087474.tif 000007
【図６】
2007087474.tif 000008
【図７】
2007087474.tif 000009